(57)【要約】【課題】ダビングのためのユーザの操作の手間を低減し、ユーザが必要とするコンテンツを自動的にダビングやコピーを行なうようにし、記録媒体での障害などによるコンテンツの消失を防止できるようにする。【解決手段】ハードディスク６には、コンテンツ７，８とともに、夫々毎にコンテンツ管理情報９が記録されている。コンテンツ処理部５は、コンテンツ管理情報９を基に、コンテンツ７，８毎にダビングの必要性の有無を判定し、必要があると判定したコンテンツを自動的に光ディスク１０にダビングする。コンテンツ管理情報９でダビングの必要性が指定されている場合には、そのコンテンツは直接光ディスク１０にダビングされるものであるが、コンテンツ管理情報９で削除ロックされたコンテンツや長期保存，高アクセス頻度のコンテンツはダビングが必要なものと想定され、同じく光ディスク１０にダビングされる。【選択図】図１
2008276830.tif 000002
【特許請求の範囲】
【請求項１】
コンテンツを記録再生する第１及び第２の記録部と、該第１の記録部に記録されたコンテンツを該第２の記録部にダビングを行なう制御部とを備えた記録再生装置であって、
該第１の記録部に、該第１の記録部に記録されている該コンテンツ毎にコンテンツ管理情報が記録され、
該コンテンツ管理情報をもとに、第１の記録部に記録されているコンテンツを前記第２の記録部にダビングを行なうコンテンツ処理部を備えたことを特徴とする記録再生装置。
【請求項２】
請求項１記載の記録再生装置において、
前記コンテンツ管理情報の１つは、前記コンテンツの前記第１の記録部への記録日時を示す記録日時データであって、
前記コンテンツ処理部は、該記録日時データをもとに前記コンテンツの前記第１の記録部での保存期間を判定して、前記コンテンツの前記第２記録部へのダビングを行なうことを特徴とする記録再生装置。
【請求項３】
請求項１記載の記録再生装置において、
前記コンテンツ管理情報の１つは、前記第１の記録部に記録されている前記コンテンツのアクセス日時を示すアクセス日時データであって、
前記コンテンツ処理部は、前記コンテンツの該アクセス日時データを基にしたアクセス回数を判定して、前記コンテンツの前記第２記録部へのダビングを行なうことを特徴とする記録再生装置。
【請求項４】
請求項２または４記載の記録再生装置において、
前記保存期間もしくは前記アクセス回数の判定に用いる閾値は、適宜設定可能としたことを特徴とする記録再生装置。
【請求項５】
請求項１記載の記録再生装置において、
前記コンテンツ管理情報の１つは、前記第１の記録部に記録されている前記コンテンツの削除を禁止する削除ロックデータであって、
前記コンテンツ処理部は、前記コンテンツの該削除ロックデータを判定して、前記コンテンツの前記第２記録部へのダビングを行なうことを特徴とする記録再生装置。
【請求項６】
請求項１記載の記録再生装置において、
前記コンテンツ管理情報の１つは、前記第１の記録部に記録されている前記コンテンツのダビングの必要性を表わすダビング必要性データであって、
前記コンテンツ処理部は、前記コンテンツの該ダビング必要性データを判定して、前記コンテンツの前記第２記録部へのダビングを行なうことを特徴とする記録再生装置。
【請求項７】
請求項１記載の記録再生装置において、
前記第１の記録部に前記コンテンツ管理情報の削除を禁止する管理情報削除禁止データを記録し、
前記コンテンツ処理部は、該管理情報削除禁止データを判定して、前記コンテンツの前記第２記録部へのダビングを行なうことを特徴とする記録再生装置。
【請求項８】
請求項１〜７のいずれか１つに記載の記録再生装置において、
前記第１の記録部がハードディク装置であることを特徴とする記録再生装置。
【請求項９】
請求項１〜８のいずれか１つに記載の記録再生装置において、
前記第２の記録部が光ディスク装置であることを特徴とする記録再生装置。
【請求項１０】
請求項１〜７のいずれか１つに記載の記録再生装置において、
前記第１，第２の記録部の記録媒体は、同一の記録媒体であって、
該記録媒体に、前記第１の記録部によって前記コンテンツが記録される第１の記録領域と、前記第２の記録部によって該第１の記録領域に記録されている前記コンテンツがダビングされる第２の領域とを設けたことを特徴とする記録再生装置。
【発明の詳細な説明】
【技術分野】
【０００１】
本発明は、記録されたコンテンツをダビングによって保護する記録再生装置に関する。
【背景技術】
【０００２】
従来、ハードディスク装置を備えた記録再生装置を用い、保存しておきたい放送番組のコンテンツをかかるハードディスク装置に記録するようにすることが通常行なわれている。このような記録再生装置では、コンテンツが追加記録されると、ハードディスクでの記録容量の使用可能な残量が減少し、新たなコンテンツの追加記録ができなくなる。このために、不要となった古いコンテンツは消去し、ハードディスクでの記録容量の使用可能な残量を確保するようにしている。
【０００３】
ところで、従来、このように、記録再生装置から不要となった古いコンテンツの削除を自動的に行なうようにした技術が提案されている（例えば、特許文献１参照）。
【０００４】
この特許文献１に記載の技術は、外部記憶装置に記録されたコンテンツ毎に消去日時を設定し、その消去時間が経過すると、このコンテンツを自動的に消去するものであって、かつ夫々のコンテンツの消去までの残り時間の一覧を表示可能として、消去されるまでコンテンツを視聴可能とするものである。また、消去日時はユーザが適宜設定可能であって、それを変更することもできる。
【０００５】
この特許文献１に記載の発明では、消去日時を変更することにより、コンテンツの外部記憶装置での記憶時間を変更することができるが、変更しない場合には、設定された消去日時で自動的に消去される。
【０００６】
一方、時間指定でハードディスク装置に記録されているコンテンツのダビングを開始し、確実にダビング動作を実現してコンテンツの保護を実現する技術も提案されている（例えば、特許文献２参照）。
【０００７】
この特許文献２に記載の技術は、ダビングを希望するコンテンツに対してダビングの予約を受け付け、所定の時間帯にダビング予約を受け付けたコンテンツのコンテンツを行なうものである。
【特許文献１】特開２００５−１９１６１３号公報
【特許文献２】特開２００６−１６４４３５号公報
【発明の開示】
【発明が解決しようとする課題】
【０００８】
ところで、上記特許文献１，２に記載の技術では、例えば、ユーザがダビングを必要としているコンテンツデータであっても、ユーザ自身が何らかのダビング実行や消去のための操作や設定をしなければ、かかるコンテンツのダビングは実行されず、自動的なダビングの開始処理に関しては考慮されていなかった。
【０００９】
通常、ハードディスク・ＤＶＤ内蔵レコーダやハードディスク・ＤＶＤ内蔵ビデオカメラなどの記録再生装置において、ユーザは、例えば、最初にコンテンツの削除操作が容易なハードディスクにコンテンツを保存し、その後、保存しておきたいと判断したコンテンツは、消さずにハードディスクに保存したままとし、残りの領域を使用してコンテンツの記録・消去を繰り返す。その結果、ハードディスクでは、特定のセクタが繰り返し使用されるため、セクタ不良などの故障の可能性が高まり、万一ハードディスクが故障した場合は、ユーザが保存を必要としていたコンテンツも消失してしまうケースが発生する。
【００１０】
また、ユーザが、ハードディスクに記録したコンテンツを、例えば、ＤＶＤディスクなどの他の記録媒体にダビングしようとする場合、コンテンツの容量にあった記録メディアを準備し、場合によっては、記録メディアの記録容量の残量に合わせてコンテンツの編集や画質の変更を行なう必要がある。ユーザにとっては、このための操作が煩わしいことから、保存する必要があるコンテンツがハードディスクに記録されている場合でも、このようなダビングやコピー操作を実行せずに、上記のように、ハードディスク上の他の空き領域での記録・削除を繰り返すことにより、ハードディスクの故障を誘発し、結果的に保存が必要なコンテンツやその管理情報の消失をまねき、かかるコンテンツを利用することができないこととなる。
【００１１】
本発明は、かかる問題を解消し、ユーザにとって操作が負担となるダビングのための操作の手間を低減し、ユーザによるダビングやコピーのための操作・設定がなくとも、ユーザが必要とするコンテンツを自動的にダビングやコピーをする行なうようにした記録再生装置を提供することにある。
【課題を解決するための手段】
【００１２】
上記目的を達成するために、本発明は、コンテンツを記録再生する第１及び第２の記録部と、該第１の記録部に記録されたコンテンツを該第２の記録部にダビングを行なう制御部とを備えた記録再生装置であって、該第１の記録部に、該第１の記録部に記録されている該コンテンツ毎にコンテンツ管理情報が記録され、該コンテンツ管理情報をもとに、第１の記録部に記録されているコンテンツを前記第２の記録部にダビングを行なうコンテンツ処理部を備えたことを特徴とするものである。
【００１３】
また、本発明は、前記コンテンツ管理情報の１つが、前記コンテンツの前記第１の記録部への記録日時を示す記録日時データであって、前記コンテンツ処理部は、該記録日時データをもとに前記コンテンツの前記第１の記録部での保存期間を判定して、前記コンテンツの前記第２記録部へのダビングを行なうことを特徴とするものである。
【００１４】
また、本発明は、前記コンテンツ管理情報の１つが、前記第１の記録部に記録されている前記コンテンツのアクセス日時を示すアクセス日時データであって、前記コンテンツ処理部は、前記コンテンツの該アクセス日時データを基にしたアクセス回数を判定して、前記コンテンツの前記第２記録部へのダビングを行なうことを特徴とするものである。
【００１５】
また、本発明は、前記保存期間もしくは前記アクセス回数の判定に用いる閾値が、適宜設定可能としたことを特徴とするものである。
【００１６】
また、本発明は、前記コンテンツ管理情報の１つが、前記第１の記録部に記録されている前記コンテンツの削除を禁止する削除ロックデータであって、前記コンテンツ処理部は、前記コンテンツの該削除ロックデータを判定して、前記コンテンツの前記第２記録部へのダビングを行なうことを特徴とするものである。
【００１７】
また、本発明は、前記コンテンツ管理情報の１つが、前記第１の記録部に記録されている前記コンテンツのダビングの必要性を表わすダビング必要性データであって、前記コンテンツ処理部が、前記コンテンツの該ダビング必要性データを判定して、前記コンテンツの前記第２記録部へのダビングを行なうことを特徴とするものである。
【００１８】
また、本発明は、前記第１の記録部に前記コンテンツ管理情報の削除を禁止する管理情報削除禁止データを記録し、前記コンテンツ処理部が、該管理情報削除禁止データを判定して、前記コンテンツの前記第２記録部へのダビングを行なうことを特徴とするものである。
【００１９】
また、本発明は、前記第１の記録部がハードディク装置であることを特徴とするものである。
【００２０】
また、本発明は、前記第２の記録部が光ディスク装置であることを特徴とするものである。
【００２１】
また、本発明は、前記第１，第２の記録部の記録媒体は、同一の記録媒体であって、該記録媒体に、前記第１の記録部によって前記コンテンツが記録される第１の記録領域と、前記第２の記録部によって該第１の記録領域に記録されている前記コンテンツがダビングされる第２の領域とを設けたことを特徴とするものである。
【発明の効果】
【００２２】
本発明により、コンテンツの管理情報を利用してユーザがコンテンツのダビングや保存の必要性を想定し、これによってダビングが実行されるので、ユーザに負担をかけずに、コンテンツの保護が可能となり、コンテンツの保護の上で信頼性の高い記録再生装置を実現することが可能となる。
【発明を実施するための最良の形態】
【００２３】
以下、本発明の実施形態を図面を用いて説明する。
【００２４】
図１は本発明による記録再生装置の第１の実施形態の要部を示す概略構成図であって、１は記録再生装置、２はハードディスク装置、３は光ディスク装置、４は制御部、５はダビング処理部、６はハードディスク、７，８はコンテンツ、９はコンテンツ管理情報、１０は光ディスク、１１は光ヘッドである。
【００２５】
同図において、この実施形態の記録再生装置１は、第１の記録部としてのハードディスク装置２と第２の記録部としての光ディスク装置３とを有しており、この光ディスク装置３にＤＶＤなどの光ディスク１０を着脱することができる。ハードディスク装置２では、ハードディスク６にユーザの操作によって記録された放送番組などのコンテンツ（ここでは、２つのコンテンツ７，８）とそれらに関するコンテンツ管理情報９とが記録されている。これらハードディスク装置２及び光ディスク装置３は、制御部４によって記録再生制御され、また、ダビング処理部５が、ハードディスク６に記録されているコンテンツ管理情報９の内容を基に、コンテンツ７，８の保存の必要性を想定し、保存が必要性と想定したコンテンツの光ディスク装置３に装着されている光ディスク１０へのダビングを制御部４に実行させる。
【００２６】
なお、ここでは、図示を省略しているが、記録されているコンテンツを再生する際に用いるコンテンツ検索などのためのこのコンテンツの関連情報も、このハードディスク６に記録されている。
【００２７】
図２は図１におけるコンテンツ管理情報９を構成するデータの一具体例を示す図であって、９ａは記録日時データ、９ｂはアクセス日時データ、９ｃは削除ロックの有無データ、９ｄはダビング必要性の有無データである。
【００２８】
同図において、コンテンツ管理情報９は、コンテンツ７，８などのハードディスク装置２に記録されているコンテンツ７，８（以下、これらをまとめて、単に、コンテンツという）毎に設けられているものであって、記録日時データ９ａ，アクセス日時データ９ｂ，削除ロックの有無データ９ｃ及びダビング必要性の有無データ９ｄからなるものである。ここで、記録日時データ９ａはコンテンツがハードディスク６に記録された日時を表わすものであり、アクセス日時データ９ｂは記録されているコンテンツがアクセスされた日時の全てを表わすものであり、削除ロックの有無データ９ｃはコンテンツがハードディスク９から削除されるのを禁止（削除ロック）するか否かを表わすデータであり、ダビング必要性の有無データ９ｄは光ディスク１０（図１）へのダビングの必要性の有無を表わすデータである。
【００２９】
記録日時データ９ａはコンテンツがハードディスク６に記録されるときに、アクセス日時データ９ｂはハードディスク６でこのコンテンツをアクセスしたときに夫々自動的に設定されるが、，削除ロックの有無データ９ｃやダビング必要性の有無データ９ｄはユーザの操作によって設定され、その設定はコンテンツのハードディスク６への記録前，記録中もしくは記録後のいずれでも可能である。なお、記録後の場合には、例えば、図６で後述するように、ハードディスク６に記録されているコンテンツに関する情報（図６では、サムネイル）の一覧を表示し、これによってコンテンツを選択することによって設定されるようにすることができる。
【００３０】
また、ユーザによってコンテンツの削除を禁止する削除ロックの有無データ９ｃが設定される操作がなされたときには、削除ロックの有無データ９ｃは削除ロック「有」の状態となって、このコンテンツのハードディスク６からの削除が禁止される状態となるだけのものであるが、ユーザによってコンテンツの光ディスク１０へのダビングを要求するダビング必要性の有無データ９ｄが設定される操作がなされたときには、ダビング必要性の有無データ９ｄがダビング必要性「有」の状態となって、コンテンツが光ディスク１０へ自動的にダビング可能な状態となるとともに、削除ロックの有無データ９ｃも削除ロック「有」となって、このコンテンツのハードディスク６からの削除が禁止される状態にもなる。
【００３１】
図３は図１でのダビング処理部５によるコンテンツ管理情報９に基づいたダビング処理の一具体例を示すフローチャートである。以下、図１及び図２を参照して、この具体例について説明する。
【００３２】
図３において、記録再生装置１に電源が投入されていて、例えば、光ディスク装置３に光ディスク１０が装着されると（ステップ１００）、この光ディスク１０が記録可能なものであることを識別する（ステップ１０１）。そして、ハードディスク６にコンテンツが保存されているか否かを、コンテンツ管理情報９により、判定する（ステップ１０２）。コンテンツが保存されていない場合には（ステップ１０２の“Ｎｏ”）、ダビング処理は、不要と判断して、行なわれない（ステップ１０３）。
【００３３】
ハードディスク６にコンテンツが保存されている場合には（ステップ１０２の“Ｙｅｓ”）、コンテンツ毎に次の処理が行なわれる。ここでは、図１に示すように、コンテンツ７，８が保存されているものとし、そのうちのコンテンツ７について説明する。
【００３４】
コンテンツ７のコンテンツ管理情報９をもとに、このコンテンツ管理情報９のダビング必要性の有無データ９ｄから、このコンテンツ７がダビング希望であるか否か判定する（ステップ１０４）。このダビング必要性の有無データ９ｄがダビング必要性「有」であって、ダビングが希望されている場合には（ステップ１０４の“Ｙｅｓ”）、光ディスク１０にこのコンテンツ７をダビングできるだけの残量があるかどうかを判定し、残量がある場合には（ステップ１０５の“Ｙｅｓ”）、このコンテンツの光ディスク１０へのダビング処理を実行するが（ステップ１０５）、残量がない場合には（ステップ１０５の“Ｎｏ”）、ダビング処理を行なわず、その旨をユーザに通知する（ステップ１０７）。
【００３５】
なお、コンテンツ管理情報９には、図示しないが、各コンテンツ毎にその情報量などに関する情報も含まれており、かかる情報量と光ディスク１０の記録可能な残量とを比較することにより、光ディスク１０にこのコンテンツを記録するのに充分な残量があるか否かを判定する。
【００３６】
コンテンツ７のコンテンツ管理情報９のダビング必要性の有無データ９ｄがダビング必要性「無」であって（この場合には、上記のように、ユーザによるダビング要求の操作がなされていない）、ダビングが希望されているものではない場合には（ステップ１０４の“Ｎｏ”）、コンテンツ管理情報９の他のデータにより、ダビングの必要性を想定する。
【００３７】
即ち、このコンテンツ７に対する削除ロックの有無データ９ｃが削除ロック「有」か「無」かの判定（ステップ１０８），このコンテンツ７の保存期間が長期か否かの判定（ステップ１０９），アクセス頻度が高いか否かの判定（ステップ１１０）のいずれかにより、このコンテンツ７のダビングの必要性を想定し、必要としないものと想定される場合には、ダビング処理を行なわないが（ステップ１１５）、必要とすると想定される場合には、ダビング処理を続行する。
【００３８】
即ち、コンテンツ７の削除ロックの有無データ９ｃが削除ロック「有」であると判定した場合（ステップ１０８の“Ｙｅｓ”）、コンテンツ７の保存期間が長期にわたるもの（長期保存）と判定した場合（ステップ１０９の“Ｙｅｓ”）、アクセス頻度が高いと判定した場合（ステップ１１０の“Ｙｅｓ”）の少なくともいずれかである場合には、このコンテンツ７はダビングの必要性があると想定して、このコンテンツ７は削除できないものとし、光ディスク１０にダビングして保存してよいか否かユーザの許可を確認し、ユーザの許可がなければ（ステップ１１１の“Ｎｏ”）、このコンテンツ７に対するダビング処理を行なわず、その旨をユーザに通知する（ステップ１１２）。ユーザがこのコンテンツ７の光ディスク１０へのダビングを許可した場合には（ステップ１１１の“Ｙｅｓ”）、このとき、光ディスク１０の記録容量の残量がこのコンテンツ７の記録に充分であれば（ステップ１１３の“Ｙｅｓ”）、このコンテンツ７の光ディスク１０へのダビングを実行するが（ステップ１１４）、光ディスク１０の記録容量の残量がこのコンテンツ７の記録に充分でなければ（ステップ１１３の“Ｎｏ”）、このコンテンツ７に対するダビング処理を行なわず、その旨をユーザに通知する（ステップ１１４）。
【００３９】
なお、ハードディスク６でのコンテンツ７の上記保存期間は、コンテンツ管理情報９での記録日時データ９ａと現時点とから検出されるものであり、この保存期間が閾値を越えたとき、このコンテンツ７は長期保存されたものとし（ステップ１０９の“Ｙｅｓ”）、ダビングの対象とする。この場合の閾値としては、予め設定されている固定値としてもよいが、ユーザが適宜設定するものであってもよい。
【００４０】
また、ハードディスク６でのコンテンツ７の上記アクセス頻度は、コンテンツ管理情報９でのアクセス日時データ９ｂの個数（即ち、アクセスの回数）をいうものであって、このアクセス頻度が閾値を越えたとき、アクセス頻度が高いものと判定し（ステップ１１０の“Ｙｅｓ”）、ダビングの対象とする。この場合の閾値としては、予め設定されている固定値としてもよいが、ユーザが適宜設定するものであってもよい。
【００４１】
以上のようにして、コンテンツ７の処理（ダビングを行なうか、行なわないかの処理）が終了すると、次に、コンテンツ８について、同様のダビング処理を行ない、このようにして、ハードディスク６に記録されているコンテンツを順番にダビング処理していく。
【００４２】
なお、以上では、コンテンツ管理情報８での各管理データ８ａ〜８ｄを用いた判定処理により、ハードディスク装置２でのコンテンツの光ディスク装置３へのダビングを実行するか否かの判定を行なうものであったが、コンテンツの関連情報（番組名やチャンネル名など）の削除の可否を指定する情報をコンテンツ毎に設定し、これを基に、コンテンツの光ディスク装置３へのダビングの可否を判定するようにしてもよい。
【００４３】
また、図３に示すダビング処理は、記録再生装置１に電源が投入され、光ディスク装置３に光ディスク１０が装着されたときに行なわれるものとしたが、記録再生装置１がコンテンツの記録や再生，消去に用いられない合間の期間など、他の期間に行なわれるようにしてもよい。この場合、勿論、コンテンツの記録，再生や消去が開始されるときには、ダビング処理部５の管理のもとに、このダビング処理が中断され、コンテンツの記録，再生や消去が終了すると、中断したダビング処理が再開される。さらに、かかるダビング処理は、合間合間の期間に行なわれるようにしてもよいが、所定の時間間隔で行なわれるようにしてもよい。
【００４４】
図４は図３に示すダビング処理でコンテンツ７が光ディスクにダビングされた状態を示す図であって、図１に対応する部分には同一符号を付けて重複する説明を省略する。
【００４５】
同図において、いま、コンテンツ７について上記図３のダビング処理が行なわれ、ダビングが実行されると（ステップ１０６，１１４）、コンテンツ７が光ヘッド１１によって光ディスク１０に記録され、ダビングされることになる。ここで、コンテンツがデジタル放送の録画コンテンツである場合には、このコンテンツはコピーワンスのデータであるため、ダビングは移動（ムーブ）となり、ハードディスク６上のコンテンツ７は、ダビングの終了（移動完了）とともに、消去（削除）される。そして、これとともに、このコンテンツ７に対するコンテンツ管理情報９も削除される。また、アナログ放送の録画コンテンツの場合には、ダビング後も、ハードティスク６にそのまま残るが、そのコンテンツ管理情報９が消去され、これにより、かかるコンテンツが記録されていた領域は、新たなコンテンツの記録が可能な領域となる。
【００４６】
このようにして、光ディスク１０にダビングされたコンテンツやその関連情報はハードディスク６の障害による影響を受けることがないから、安定に保存され続けることになる。また、そのダビングも、ユーザが簡単な操作でもって、削除ロックの有無データ９ｃを削除ロック「有」の状態とし、また、ダビング必要性の有無データ９ｄをダビング必要性「有」の状態とすることにより、あるいは、保存期間やアクセス頻度に応じて自動的に行なわれるものであって、しかも、光ディスク１０の記録容量の残量のもとに、ダビングが自動的に行なわれるものであるから、光ディスク１０の記録容量の残量に応じて（残量が足りない場合には、その旨が通知されるから、他の光ディスクと交換することにより）、ダビング対象のコンテンツを編集するなどの手間を省くことができる。
【００４７】
図５は本発明による記録再生装置の第２の実施形態の図３に示すダビング処理でコンテンツ７が光ディスクにダビングされた状態を示す図であって、図１に対応する部分には同一符号を付けて重複する説明を省略する。
【００４８】
この第２の実施形態では、ハードディスク６に記録されているコンテンツのダビング先を、同じハードディスク６の別のセクタ領域とするものである。
【００４９】
図５はコンテンツ７がかかるセクタ領域にダビングされた状態を示すものであって、コンテンツ７が同一ハードディスク６上でダビングすることにより、ハードディスク６上にコンテンツ７が記録される物理的な場所が移動することになり、ハードディスク６上の別セクタ領域に記録される。
【００５０】
この別セクタ領域では、書き込みが繰り返し行なわれるものではなく、一旦ダビングが行なわれると、永久的に記録されている状態が続くものであるから、障害が生ずることがなく、ハードディスク６の障害によるコンテンツの消失の可能性を軽減することが可能となって、上記の第１の実施形態と同様の効果が得られる。
【００５１】
図６は本発明による記録再生装置の一適用例としてのビデオカメラの一具体例を示す図であって、同図（ａ）は全体斜視図、同図（ｂ）は同図（ａ）におけるディスプレイでのダビング処理のための表示画面の一具体例を示す図であり、１２はビデオカメラ、１２ａは装置本体、１３は撮影レンズ、１４はハードディスク、１５は光ディスク、１６はディスプレイ、１６ａは表示画面、１７は操作部、１８は候補コンテンツ選択画面、１９はサムネイル、２０はマーク、２１はキーソル、２２はメッセージ、２３Ｌは左移動ボタン、２３Ｒは右移動ボタン、２４は決定ボタンである。
【００５２】
図６（ａ）において、ビデオカメラ１２には、その装置本体１２ａに撮影レンズ１３などが設けられ、また、装置本体１２ａに対して畳込み／開放可能にディスプレイ１６が設けられている。このディスプレイ１６を装置本体１２ａから開放したときには、図示しないが、装置本体１２ａのこのディスプレイ１６が畳み込まれていた部分にビデオカメラ１２の操作部が設けられている。
【００５３】
操作本体１２ａ内には、撮像部や各種の信号処理部が設けられ、また、第１の記録部であるハードディスク装置１４や第２の記録部としての光ディスク装置１５、さらには、それらを制御する図１での制御部４に相当する制御部（図示せず）や図１でのダビング処理部５に相当するダビング処理部（図示せず）が内蔵されている。ハードディスク装置１４は、図１での第１の記録部２に相当するものであり、ビデオカメラ１２で撮像されたコンテンツがこのハードディスク装置１４でハードディスク（図示せず）に記録される。また、光ディスク装置１５は図１での第２の記録部３に相当するものであって、ハードディスク装置１４でハードディスクに記録されているダビング候補のコンテンツのダビング先となるものである。
【００５４】
なお、このビデオカメラ１２においても、先の実施形態と同様、撮影されたコンテンツがハードディスク装置１４のハードディスクに記録されると、かかるコンテンツに対して図２に示したコンテンツ管理情報８が作成され、このハードディスクに記録されるが、このときには、コンテンツ管理情報８での削除ロック有無データ８ｃは削除ロック「無」の状態にあり、ダビング必要性有無データ８ｄも、ダビング必要性「無」の状態にある。
【００５５】
また、以下では、コンテンツ管理情報８での削除ロック有無データ８ｃが削除ロック「有」に設定されているコンテンツやダビング必要性有無データ８ｄがダビング必要性「有」に設定されている（この場合には、削除ロック有無データ８ｃも削除ロック「有」に設定されている）コンテンツをダビング候補コンテンツといい、それ以外のコンテンツをダビング未候補コンテンツという。
【００５６】
ディスプレイ１６では、その表示画面１６ａに、撮影された映像画面が表示されるとともに、ハードディスク装置１４のハードディスクに記録されているコンテンツの中からダビング未候補コンテンツを選択し、選択したダビング未候補コンテンツを、その削除ロックの有無データを削除ロック「有」に設定したり、ダビング必要性の有無データをダビング必要性「有」に設定したりしてダビング候補コンテンツとするための候補コンテンツ選択画面も表示され、この候補コンテンツ選択画面をもとに、このディスプレイ１６に設けられた操作部１６ａを操作することにより、ダビング未候補コンテンツをダビング候補コンテンツに設定できる。
【００５７】
即ち、ビデオカメラ１２において、自動ダビングのための所定の操作をすると、ディスプレイ１６の表示画面１６ａに、図６（ｂ）に示す候補コンテンツ選択画面１８が表示される。この候補コンテンツ選択画面１８では、ハードディスク装置１４（図６（ａ））のハードディスクに記録されているダビング未候補コンテンツ全てのサムネイル１９が配列されて表示され、また、これらサムネイル１９には夫々、マーク２０が付加されている。このマーク２０はサムネイル１９で表わされるダビング未候補コンテンツがダビング候補コンテンツに選択されたことを示すものであって、ダビング未候補コンテンツに対して、異なる表示がなされる。例えば、ダビング未候補コンテンツのサムネイル１９に対しては、マーク２０は非点灯あるいは無色で表示されるが、ダビング候補コンテンツのサムネイル１９に対しては、点灯あるいは着色表示される。
【００５８】
なお、かかるサムネイル１９としては、コンテンツの１シーンであってもよいし、番組名やチャンネル名などのコンテンツの関連情報を表わすものであってもよい。
【００５９】
候補コンテンツ選択画面１８では、サムネイル１９のいずれか１つをフォーカスするカーソル２１が表示されており、操作部１７での左移動ボタン２３Ｌをタッチ操作することにより、タッチ毎にカーソル２１が左方向に１サムネイルずつ移動し、操作部１７での右移動ボタン２３Ｒをタッチ操作することにより、タッチ毎にカーソル２１が右方向に１サムネイルずつ移動する。また、左移動ボタン２３Ｌを順次タッチ操作して横一列の左端のサムネイル１９をフォーカスした状態となり、かかる状態で、さらに、左移動ボタン２３Ｌを順次タッチ操作すると、カーソル２１は１つ下の列の右端のサムネイル１９に移り、順次左方に移動する。同様に、右移動ボタン２３Ｒを順次タッチ操作して横一列の右端のサムネイル１９をフォーカスした状態となり、かかる状態で、さらに、右移動ボタン２３Ｒを順次タッチ操作すると、カーソル２１は１つ下の列の左端のサムネイル１９に移り、順次右方に移動する。また、左移動ボタン２３Ｌを順次タッチ操作して最下位列の左端のサムネイル１９をフォーカスした状態となり、かかる状態で、さらに、左移動ボタン２３Ｌを順次タッチ操作すると、カーソル２１は最上位列の右端のサムネイル１９に移り、順次左方に移動するし、右移動ボタン２３Ｒを順次タッチ操作して最下位列の右端のサムネイル１９をフォーカスした状態となり、かかる状態で、さらに、右移動ボタン２３Ｒを順次タッチ操作すると、カーソル２１は最上位列の左端のサムネイル１９に移り、順次右方に移動する。
【００６０】
なお、かかるカーソル２１としては、枠状のカーソルであってもよいし、また、サムネイル１９全体を色付けするカーソルなど、他の表示形式のカーソルであってもよい。
【００６１】
候補コンテンツ選択画面１８が表示されると、例えば、「ダビングするシーンを選択してください」などといったダビング候補コンテンツとすることを希望するサムネイル１９の選択を促すメッセージ２２が表示される。これに応じて、左移動ボタン２３Ｌや右移動ボタン２３Ｒを操作して希望するダビング未候補コンテンツのサムネイル１９にカーソルをフォーカスさせ、操作部１７の決定ボタン２４をタッチ操作すると、このダビング未候補コンテンツがダビング候補コンテンツとなる。このとき、このサムネイル１９に対するマーク２０の表示が、上記のように、変更され、このサムネイル１９に対するコンテンツがダビング候補コンテンツになったことを明示する。
【００６２】
以上のようにして、希望するダビング未候補コンテンツを１つずつ選んでダビング候補コンテンツとすることができるのであるが、この場合、ダビング候補コンテンツのコンテンツ管理情報８では、決定ボタン２４を１回タッチ操作することにより、削除ロック有無データ８ｃが削除ロック「有」の状態となり、決定ボタン２４を２回続けてタッチ操作することにより、ダビング必要性有無データ８ｄがダビング必要性「有」の状態となる（この場合、１回目のタッチ操作で削除ロック有無データ８ｃが削除ロック「有」の状態となる）。
【００６３】
このように、ハードディスク装置１４のハードディスクに記録されたコンテンツに対し、図２に示すコンテンツ管理情報８が形成され、先の実施形態と同様に、ユーザが操作しなくとも、図３に示すようにして光ディスク装置１５への自動ダビングが行なわれるものであり、ハードディスク装置１４でのハードディスクの障害などから確実にコンテンツの保護を行なうことが可能となる。
【００６４】
なお、図３におけるステップ１１１のダビングするコンテンツの確認のための画面も、ディスプレイ１６に表示される。
【図面の簡単な説明】
【００６５】
【図１】本発明による記録再生装置の第１の実施形態の要部を示す概略構成図である。
【図２】図１に示す関連情報を構成するデータの一具体例を示す図である。
【図３】図１でのダビング処理部による関連情報に基づいたダビング処理の一具体例を示すフローチャートである。
【図４】図３に示すダビング処理でコンテンツ７が光ディスクにダビングされた状態を示す図である。
【図５】本発明による記録再生装置の第２の実施形態の図３に示すダビング処理でコンテンツ７が光ディスクにダビングされた状態を示す図である。
【図６】本発明による記録再生装置の一適用例としてのビデオカメラの一具体例を示す図である。
【符号の説明】
【００６６】
１  記録再生装置
２  ハードディスク装置
３  光ディスク装置
４  制御部
５  ダビング処理部
６  光ディスク
７，８  コンテンツ
９  管理情報
９ａ  記録日時データ
９ｂ  アクセス日時データ
９ｃ  削除ロックの有無データ
９ｄ  ダビング必要性の有無データ
１０  光ディスク
１１  光ヘッド
１２  ビデオカメラ
１２ａ  装置本体
１３  撮影レンズ
１４  ハードディスク
１５  光ディスク
１６  ディスプレイ
１６ａ  表示画面
１７  操作部
１８  候補コンテンツ選択画面
１９  サムネイル
２０  マーク
２１  キーソル
２２  メッセージ
２３Ｌ  左移動ボタン
２３Ｒ  右移動ボタン
２４  決定ボタン
【図１】
2008276830.tif 000003
【図２】
2008276830.tif 000004
【図３】
2008276830.tif 000005
【図４】
2008276830.tif 000006
【図５】
2008276830.tif 000007
【図６】
2008276830.tif 000008